(57)【要約】【課題】  赤外線通信を行なうハンディターミナルや携帯情報機器などの電子機器において、面倒な設定操作などを必要とせず、キャリングケースの着／脱状態を自由に選択でき、いずれの状態でも良好な赤外線通信が行なえるようにする。【解決手段】  赤外線通信装置１０３を含む電子機器１０に、赤外線透過用の窓１０３ａを有する保護用の着脱自在のキャリングケース１００を装着可能とする。キャリングケース１０には少なくともキャリングケース１０を装着した時必要になる赤外線通信装置１０３の出力制御に関する制御情報を含むプロファイル情報を記憶する記憶手段として無線タグ１０１を設ける。電子機器にキャリングケースが装着された際には、キャリングケース１００の無線タグ１０１からプロファイル情報を読み出し、読み出したプロファイル情報に含まれる制御情報に基づき赤外線通信装置の出力制御を行なう。【選択図】  図１
2006319489.tif 000002
【特許請求の範囲】
【請求項１】
外部の他の装置と赤外線通信を行なう赤外線通信装置を含む電子機器本体と、前記赤外線通信のための赤外線を透過させる部分を有し機器本体を保護する着脱自在のキャリングケースとから成る電子機器において、
前記キャリングケースには、少なくとも前記キャリングケースの装着に応じて行なうべき前記赤外線通信装置の出力制御に関する制御情報を含むキャリングケースのプロファイル情報を記憶する記憶手段を設け、
前記電子機器本体には、前記電子機器に前記キャリングケースが装着された際、前記キャリングケースの前記記憶手段から前記プロファイル情報を読み出し、読み出した前記プロファイル情報に含まれる前記制御情報に基づき前記赤外線通信装置の出力制御を行なう制御手段を設けたことを特徴とする電子機器。
【請求項２】
前記キャリングケースに設けられた記憶手段が無線タグから構成され、前記無線タグから近接無線通信を介して前記プロファイル情報が読み出されることを特徴とする請求項１に記載の電子機器。
【請求項３】
前記キャリングケースに設けられた記憶手段が不揮発メモリから構成され、前記不揮発メモリからシリアルインターフェースを介して前記プロファイル情報が読み出されることを特徴とする請求項１に記載の電子機器。
【請求項４】
前記プロファイル情報はデータの正当性をチェックするための誤り検出符号を付加して前記記憶手段に記憶されており、前記記憶手段から読み出される前記プロファイル情報と前記誤り検出符号に基づき前記電子機器本体側で所定の演算処理に基づく誤り検出処理を行ない、この誤り検出処理の結果に基づき前記プロファイル情報の正当性を判定することを特徴とする請求項１に記載の電子機器。
【請求項５】
前記正当性の判定の結果、正当性のある前記プロファイル情報が読み出されている場合には前記プロファイル情報に含まれる前記制御情報に基づく前記赤外線通信装置の出力制御を行ない、一方、正当性を欠く前記プロファイル情報が読み出されている場合には異常なキャリングケース対応の電子機器の制御を行うことを特徴とする請求項４に記載の電子機器。
【請求項６】
前記キャリングケースの装着時、前記無線タグから正規の識別情報応答が返送されなかった場合、正当性を欠くキャリングケースが装着されていると判定し、異常なキャリングケース対応の電子機器の制御を行うことを特徴とする請求項２に記載の電子機器。
【請求項７】
外部の他の装置と赤外線通信を行なう赤外線通信装置を含み、前記赤外線通信のための赤外線を透過させる部分を有し機器本体を保護する着脱自在のキャリングケースを装着可能な電子機器の制御方法において、
前記電子機器に前記キャリングケースが装着された際、前記キャリングケースに設けられ、当該キャリングケースの装着に応じて行なうべき前記赤外線通信装置の出力制御に関する制御情報を含む当該キャリングケースのプロファイル情報を記憶する記憶手段から前記プロファイル情報を読み出し、読み出した前記プロファイル情報に含まれる前記制御情報に基づき前記赤外線通信装置の出力制御を行なうことを特徴とする電子機器の制御方法。
【請求項８】
前記キャリングケースが装着された際、前記キャリングケース側から送信される識別情報、または当該キャリングケースのプロファイル情報を記憶する記憶手段から読み出される情報に基づき、前記プロファイル情報ないし前記キャリングケースの正当性を判定し、前記正当性の判定の結果、正当性がある場合には前記プロファイル情報に含まれる前記制御情報に基づく前記赤外線通信装置の出力制御を行ない、一方、正当性を欠く場合には異常なキャリングケースとして認識し、異常なキャリングケース対応の電子機器の制御を行うことを特徴とする請求項７に記載の電子機器の制御方法。
【請求項９】
外部の他の装置と赤外線通信を行なう赤外線通信装置を含み、前記赤外線通信のための赤外線を透過させる部分を有し機器本体を保護する着脱自在のキャリングケースを装着可能な電子機器の制御プログラムにおいて、
前記キャリングケースに設けられ、当該キャリングケースの装着に応じて行なうべき前記赤外線通信装置の出力制御に関する制御情報を含む当該キャリングケースのプロファイル情報を記憶する記憶手段から前記プロファイル情報を読み出し、読み出した前記プロファイル情報に含まれる前記制御情報に基づき前記赤外線通信装置の出力制御を行なう制御過程を含むことを特徴とする電子機器の制御プログラム。
【請求項１０】
前記キャリングケースが装着された際、前記キャリングケース側から送信される識別情報、または当該キャリングケースのプロファイル情報を記憶する記憶手段から読み出される情報に基づき、前記プロファイル情報ないし前記キャリングケースの正当性を判定し、前記正当性の判定の結果、正当性がある場合には前記プロファイル情報に含まれる前記制御情報に基づく前記赤外線通信装置の出力制御を行ない、一方、正当性を欠く場合には異常なキャリングケースとして認識し、異常なキャリングケース対応の電子機器の制御を行う制御過程を含むことを特徴とする請求項９に記載の電子機器の制御プログラム。
【発明の詳細な説明】
【技術分野】
【０００１】
本発明は、外部の他の装置と赤外線通信を行なう赤外線通信装置を含む電子機器本体と、前記赤外線通信のための赤外線を透過させる部分を有し機器本体を保護する着脱自在のキャリングケースとから成る電子機器、および外部の他の装置と赤外線通信を行なう赤外線通信装置を含み、前記赤外線通信のための赤外線を透過させる部分を有し機器本体を保護する着脱自在のキャリングケースを装着可能な電子機器の制御方法および電子機器の制御プログラムに関するものである。
【背景技術】
【０００２】
従来より、外部の他の機器とデータ転送を行なう赤外線通信機能をもった電子機器として、ハンディターミナル（たとえば下記の特許文献１）や携帯情報機器（たとえば下記の特許文献２）が知られている。これらの電子機器は戸外で使われることが多く、持ち運びのしやすさや、落下、汚れを防ぐためなどの理由でキャリングケースに入れて使われることが多い（たとえば下記の特許文献２および特許文献３）。
【０００３】
機器が使用される用途によっては、この種の装置は雨中で赤外線通信するなど、苛酷な環境下で用いなければならない場合もあり、ハンディターミナルや携帯情報機器用に防水機能を持ったキャリングケースも考えられている（たとえば下記の特許文献４）。
【０００４】
防水機能を持たないキャリングケースでは、特許文献２に示されるように、ダイアルなどの一部の操作部やコネクタ部、赤外線通信部に対応する部分に穴を設け、キャリングケースに入れたまま操作や通信ができるようにした構造が知られている。これに対し、防水機能を持たせる場合には、特許文献４のように、コネクタ部や赤外線通信部、アンテナを含めた全体を、キャリングケースの防水性のある材質で包み込む形態とすればよい。
【特許文献１】特開平６−３４８６５３号
【特許文献２】実用新案登録第３０９５２８６号
【特許文献３】実開平７−７２３３号
【特許文献４】実用新案登録第３０７２１９３号
【発明の開示】
【発明が解決しようとする課題】
【０００５】
しかしながら、赤外線通信部などを防水性のあるキャリングケース内側に設ける場合、機器をキャリングケース内に収容した場合には通信が不可能となったり、赤外線通信のスループットが低下したりする可能性がある。
【０００６】
ハンディターミナルや携帯情報機器などの電子機器は、用途によっては雨中などの苛酷な環境下で用いなければならない場合もあるが、キャリングケースに入れたまま通信できなければ、機器を取り出して通信する必要があり、このような製品仕様では機器内に水が浸入し障害を起こす可能性があり、上記のような苛酷な環境下での使用を要求される用途には適合できなくなってしまう。
【０００７】
また、冬期の戸外から暖かい室内に入った場合など、結露を防ぐため電子機器のキャリングケースからの取り出しを控えなければならない場合があるが、この場合、少なくとも機器の温度が室内の温度になじむのを数十分以上待ち、キャリングケースから取り出して赤外線通信を行なわなければならず、効率的でない。このようなときキャリングケースに入れたまま通信できれば便利である。
【０００８】
たとえば、キャリングケースの赤外線通信部に相当する部分を透明な材料で作り、キャリングケースに入れたまま通信できるようにする構成も考えられるが、透明とはいえ透過率１００％を達成できる材質はほとんどなく、したがって、あらかじめ赤外線の出力を上げるなどの対策をとっておかなければデータ通信エラーが起こる可能性がある。なお、赤外線通信の出力は高すぎても通信エラーが起こるので、キャリングケースを使わないときは通常の出力でなければならない。
【０００９】
本発明の課題は、上記の問題に鑑み、赤外線通信を行なうハンディターミナルや携帯情報機器などの電子機器において、面倒な設定操作などを必要とせず、キャリングケースを装着したまま、あるいは外した状態を自由に選択でき、いずれの状態でも良好な赤外線通信が行なえるようにすることにある。
【課題を解決するための手段】
【００１０】
上記課題を解決するため、本発明においては、外部の他の装置と赤外線通信を行なう赤外線通信装置を含む電子機器本体と、前記赤外線通信のための赤外線を透過させる部分を有し機器本体を保護する着脱自在のキャリングケースとから成る電子機器において、前記キャリングケースには、少なくとも前記キャリングケースの装着に応じて行なうべき前記赤外線通信装置の出力制御に関する制御情報を含むキャリングケースのプロファイル情報を記憶する記憶手段を設け、前記電子機器本体には、前記電子機器に前記キャリングケースが装着された際、前記キャリングケースの前記記憶手段から前記プロファイル情報を読み出し、読み出した前記プロファイル情報に含まれる前記制御情報に基づき前記赤外線通信装置の出力制御を行なう制御手段を設けた構成を採用した。
【００１１】
あるいは、外部の他の装置と赤外線通信を行なう赤外線通信装置を含み、前記赤外線通信のための赤外線を透過させる部分を有し機器本体を保護する着脱自在のキャリングケースを装着可能な電子機器の制御方法および電子機器の制御プログラムにおいては、前記電子機器に前記キャリングケースが装着された際、前記キャリングケースに設けられ、当該キャリングケースの装着に応じて行なうべき前記赤外線通信装置の出力制御に関する制御情報を含む当該キャリングケースのプロファイル情報を記憶する記憶手段から前記プロファイル情報を読み出し、読み出した前記プロファイル情報に含まれる前記制御情報に基づき前記赤外線通信装置の出力制御を行なう構成を採用した。
【００１２】
あるいはさらに、上記の電子機器、電子機器の制御方法、および電子機器の制御プログラムにおいて、前記キャリングケースが装着された際、前記キャリングケース側から送信される識別情報、または当該キャリングケースのプロファイル情報を記憶する記憶手段から読み出される情報に基づき、前記プロファイル情報ないし前記キャリングケースの正当性を判定し、前記正当性の判定の結果、正当性のあるキャリングケースが装着されている場合には前記プロファイル情報に含まれる前記制御情報に基づく前記赤外線通信装置の出力制御を行ない、一方、正当性を欠くキャリングケースが装着されている場合にはユーザに対して前記電子機器本体がその旨を示す警告メッセージを出力する等の異常なキャリングケースに対応するための制御を行う構成を採用した。
【発明の効果】
【００１３】
上記構成によれば、キャリングケースの赤外線透過部の特性に適した赤外線通信装置の出力制御を行なうための制御情報をキャリングケースの記憶手段内にプロファイル情報としてあらかじめ格納しておくことにより、キャリングケースを電子機器本体に装着するだけで、赤外線通信装置の出力状態をキャリングケースに適した状態に自動的に調整することができ、面倒な設定操作などを必要とせず、ユーザはキャリングケースを装着したまま、あるいは外した状態を自由に選択でき、そしていずれの状態でも良好な赤外線通信が行なえる、という優れた効果がある。
【００１４】
また、キャリングケース側から送信される識別情報、またはキャリングケースのプロファイル情報を記憶する記憶手段から読み出される情報に基づき、キャリングケースのプロファイル情報ないしキャリングケースそれ自体の正当性を判定することにより、正当性のあるプロファイル情報のみで正しい赤外線通信装置の出力制御を実行し、また、他の製品用のキャリングケースの使用など正当性を欠くキャリングケースの装着や、破損されたプロファイル情報の読出しを警告したりする処理が可能となる、という優れた効果がある。
【発明を実施するための最良の形態】
【００１５】
以下、図面を参照して本発明の実施例について説明する。
【００１６】
以下の実施例では、ハンディターミナルや携帯情報機器などの電子機器を防水性のキャリングケースに入れたままでも、あるいは該キャリングケースを外した場合でも、面倒な設定操作などを必要とせず、良好な赤外線通信を行なえるようにするための構成を示す。
【００１７】
以下の実施例では、キャリングケースの有無に応じて適切なハンディターミナルの赤外線通信の出力（キャリングケースの赤外線透過部の赤外線透過率などに応じて定めておく）を選択し、赤外線通信の出力が不足したり高すぎることに起因する通信エラーを生じることなく良好な赤外線通信を行なえるようにする。
【００１８】
このために、赤外線通信の出力に関する制御情報をキャリングケース内の記憶手段に格納し、電子機器が記憶手段の情報を利用し、キャリングケースを装着したとき自動的に赤外線通信の出力を適切な値に変更できるようにする。この記憶手段としては、無線タグ（実施例１）やＥＥＰＲＯＭ（実施例２）を用いることができる。
【実施例１】
【００１９】
本実施例では、キャリングケースに内蔵される情報記憶媒体に無線タグを利用する構成を示す。
【００２０】
この情報記憶媒体としての無線タグには、キャリングケースに関する情報、特に電子機器側の赤外線通信の出力に関する制御情報を記憶させておき、キャリングケースが装着された時、電子機器が無線タグの情報を読み出して利用する。
【００２１】
図１は本発明を採用した赤外線通信を行なう電子機器の一実施例を示している。図１において、電子機器本体（以下単に電子機器という）１０はキャリングケース１００内に装着することができる。
【００２２】
キャリングケース１００は、たとえば防水性のある材料から構成され、後述の赤外線通信装置１０３が通信を行なうための窓１０３ａを有している。窓１０３ａには、比較的、赤外線透過率が高い透明材料（透明ビニールなど）を用い、この部分の防水性が損なわれないよう構成する。なお、同様の窓は電子機器１０の表示器などユーザの視認が必要な部分に必要に応じて設けられ、キャリングケース１００を装着したままでも、キャリングケース１００を装着していない時とほぼ同様の操作が可能なように構成される。
【００２３】
また、キャリングケース１００は、記憶媒体として無線タグ１０１（いわゆる無線ＩＣタグ、ＩＣタグ、ＲＦＩＤなどと呼ばれているもの）を内蔵する。本実施例では、無線タグ１０１としては近接型（伝送距離１０ｃｍ程度）の無線媒体を想定しており、キャリングケース１００の所定部位（たとえば図中の着色部位）に内蔵あるいは装着（縫い込みやモールド成型、接着などによる）される。
【００２４】
キャリングケース１００に収容可能な電子機器１０は符号１０２〜１０８の機能ブロックから構成される。
【００２５】
このうち、符号１０２は無線タグとの通信を行なうリーダ・ライター、１０３は外部機器との通信を行なう赤外線通信装置、１０４は本発明の特徴であるキャリングケースに関わる複数のプロファイル情報と、無線タグの識別情報との関連性を記憶する機能を有する不揮発メモリ、１０５は赤外線通信装置を含め、電子機器の各部の制御を行なう制御ＣＰＵ、１０６は赤外線通信装置の制御プログラムを格納するＲＯＭ、１０７は制御プログラム実行のためのワークＲＡＭで、これらの部材はバス１０８を介して相互に接続されている。
【００２６】
赤外線通信装置１０３の送受信素子は、電子機器１００がキャリングケース１００に収容された時キャリングケース１００の窓１０３ａに臨む筐体上の位置に配置される。
【００２７】
図２は、図１の近接型無線タグとリーダ・ライターとの関係を示している。図２において、符号２００は図１における無線タグ１０１に相当し、また、符号２１０は図１におけるリーダ・ライター１０２に相当している。無線タグ２００は、アンテナ２０１と、リーダ・ライター２１０側から空間伝送された電力を抽出する電源回路２０２と、受信信号の復調回路２０３と、送信信号の変調回路２０４と、通信制御を行なう制御ロジック部２０５と、各種パラメータ情報を記憶する不揮発メモリ２０６によって構成されている。不揮発メモリ２０６には、無線タグ２００が装着されるキャリングケース１００のプロファイル情報を記憶させておく。本実施例では、このプロファイル情報には、少なくとも電子機器１０の赤外線通信装置１０３の出力を制御可能な制御情報が含まれる。この出力制御情報は、たとえば、キャリングケース１００を装着した場合にその窓１０３ａによる赤外線信号の減衰に応じて赤外線通信装置１０３の出力をどのように調節すれば良いかを表現したデータ（たとえば、どれだけ出力レベルやゲインを増加させれば良いかを示す値、あるいはこれら出力レベルやゲインの絶対値）により構成される。さらに、不揮発メモリ２０６に記憶されたデータには、後述の制御において電子機器側で正常なプロファイル情報か否かを判定するために利用されるチェックサム値が付加されている。このチェックサム値は、後述の制御では、電子機器〜無線タグ間の通信において電子機器側に送信されるプロファイル情報から計算されるチェックサム値と照合される。
【００２８】
また、リーダ・ライター２１０は、アンテナ２１１と、送信信号の増幅と電力重畳を行なう送信ドライバ回路２１２と、受信信号の増幅回路２１３と、送信信号の変調回路２１４と、受信信号の復調回路２１５と、通信制御を行なうと共に、他の機能ブロックとのインターフェースとして機能する制御ロジック部２１６によって構成されている。
【００２９】
無線タグ１０１とリーダ・ライター２１０の間で用いられるプロトコルや信号形式には、所定の規格、たとえばEPCglobal規格などを用いることができる。
【００３０】
図３は、本実施例における近接型無線タグの無線空間での信号送信タイミング例を示している。本実施例における１通信サイクルは以下のように動作する。
【００３１】
まず、リーダ・ライター２１０側から情報の送信前に無線タグ２００に対して無変調の信号を一定期間、定常的に送信し（３５）、無線タグ２００内の電源供給を安定させた後、コマンド信号３１、３３を送信し、この後、規定の１通信サイクル終了タイミングまで無変調信号を連続送信する。また、無線タグ２００側は、コマンドを受取った後、自己の固有情報に対応したガードタイム３６の経過後にレスポンス信号３２、３４を返送するという形で通信が行われる。
【００３２】
図４は無線タグとリーダ・ライターとの間の通信シーケンスを示している。図４のように、まずリーダ・ライター２１０は、周期的に識別要求コマンド信号４０１を送信し、近接状態の無線タグの有無を調査する。無線タグ２００は、識別要求コマンド信号４０１を受信すると、自己の固有識別情報をパラメータとしてパラメータに付加した識別情報応答レスポンス４０２を返送する。
【００３３】
リーダ・ライター２１０は、識別情報応答レスポンス４０２を受信し、当該無線タグ２００の固有識別情報を読み出し、動作中のアプリケーションに対応している無線タグ２００か否かの判定を行い、対応している無線タグ２００に対してのみ、無線タグ２００内に搭載されている不揮発メモリ２０６をアクセスするためのコマンド／レスポンス信号４０３、４０４による通信を行い、無線タグ２００内の不揮発メモリ２０６のデータを受信し、その内容を所望のフォーマットに変更する。
【００３４】
図５は電子機器にキャリングケースが装着された際に電子機器側で実行される制御フロー、特に本実施例におけるキャリングケースの無線タグに対する情報読み出しアクセス手順を示している。図示の制御手順は、制御ＣＰＵ１０５が実行する制御プログラムとしてたとえばＲＯＭ１０６に格納しておくことができる。
【００３５】
まず、制御ＣＰＵ１０５は、リーダ・ライター１０２を介して、装着されたキャリングケースに内蔵された無線タグに対し、図４の識別情報要求信号４０１を送信し（ステップＳ５０１）、図４の識別情報応答信号４０２にて通知される当該無線タグの識別情報が、当該アプリケーションが許容する識別情報であるか否かの判定、および応答信号の受信の有無の判定を行なう（ステップＳ５０２）。
【００３６】
ステップＳ５０２で、正規識別情報が受取れなかった場合は、装着されたキャリングケースを異常キャリングケースとして認識し、これに対応した制御の実施を要求した後（ステップＳ５０６）、１処理単位を終了する。
【００３７】
一方、ステップＳ５０２で正規識別情報を受取った場合は、無線タグ（２００）内の不揮発メモリ２０６の内容のダウンロード処理を実行し（ステップＳ５０３）、ダウンロードした不揮発メモリ２０６の内容から計算したチェックサム値とステップＳ５０３でダウンロードした無線タグ（２００）内のチェックサム値を比較し（ステップＳ５０４）、チェックサムエラーが検出されなければ、装着されたキャリングケースを正常キャリングケースとして認識し、これに対応した制御を実施し（ステップＳ５０５）、チェックサムエラーが検出されれば、装着されたキャリングケースを異常キャリングケースとして認識し、これに対応した制御を実施して（ステップＳ５０６）、１処理単位を終了する。
【００３８】
ここで異常キャリングケースとして認識した場合は、ステップＳ５０６において、ＲＯＭ１０６に格納された赤外線通信装置の制御プログラムを呼び出し、標準的な設定のまま制御ＣＰＵ１０５により赤外線通信装置１０３の制御を行なう。この場合、不適切なキャリングケースが装着されたこと、またはチェックサムエラーが発生し（赤外線通信装置の出力調整が正しく行なわれないため）赤外線通信が正常に行われない可能性がある旨を、電子機器の表示器や音声出力手段を介してユーザーに警告する。この警告には、表示メッセージ、音声メッセージ、あるいは警告音などを用いることができる。
【００３９】
一方、正常キャリングケースとして認識した場合は、ステップＳ５０５において、ステップＳ５０３で受信した無線タグ２００の不揮発メモリ２０６内のキャリングケースのプロファイル情報、特に電子機器１０の赤外線通信装置１０３の出力を制御するための出力制御情報を用い、ＲＯＭ１０６に格納された赤外線通信装置の制御プログラムを介して制御ＣＰＵ１０５により赤外線通信装置１０３の出力やゲインを制御する。
【００４０】
上記のように、無線タグ２００の不揮発メモリ２０６のプロファイル情報に含まれた電子機器１０の赤外線通信装置１０３の出力を制御するための出力制御情報には、当該のキャリングケース１００を装着した場合にその窓１０３ａによって生じ得る赤外線信号の減衰に応じた出力制御値が格納されているから、以上の処理により、キャリングケースに適した値に赤外線通信装置１０３の出力（ゲイン）を制御できる。
【００４１】
以上のようにして、本実施例によれば、キャリングケース装着時には、装着したキャリングケースに適した赤外線通信の入出力信号レベル（ゲイン）を設定でき、これにより安定した赤外線通信を行なうことができる。
【００４２】
本実施例によれば、赤外線通信の入出力信号レベル（ゲイン）設定は、キャリングケースを使用環境や状況に応じて着脱するだけで自動的に行なわれるので、ユーザは面倒な設定操作などを行なう必要がない。さらに、本実施例によれば、識別情報の照合（ステップＳ５０２）を行なうこと、またチェックサムを照合（ステップＳ５０４）することにより、赤外線通信装置としての要求スペックに満たないキャリングケースの使用、あるいは不当な仕様のキャリングケース（たとえば他の製品用のキャリングケースなど）の使用、またはプロファイル情報が破損したキャリングケースの使用を未然に防止することができる。
【００４３】
以上のように本実施例によれば、キャリングケースの赤外線透過部の特性に適した赤外線通信装置の出力制御を行なうための制御情報をキャリングケースの記憶手段（無線タグ）内にプロファイル情報としてあらかじめ格納しておくことにより、キャリングケースを電子機器本体に装着するだけで、赤外線通信装置の出力状態をキャリングケースに適した状態に自動的に調整することができ、面倒な設定操作などを必要とせず、ユーザはキャリングケースを装着したまま、あるいは外した状態を自由に選択でき、そしていずれの状態でも良好な赤外線通信が行なえる、という優れた効果がある。
【実施例２】
【００４４】
上記実施例においては、キャリングケースに内蔵されるキャリングケースのプロファイルを格納する記憶媒体として無線タグを利用する例について説明したが、本実施例のようにキャリングケースに内蔵される情報記憶媒体としてＥＥＰＲＯＭを利用することもできる。
【００４５】
図６は本発明を採用した赤外線通信装置の他の実施例を示している。図６では、図１の１０番台、および１００番台の参照符号は６０番台、および６００番台に置換してある。
【００４６】
図６において符号６００はキャリングケース、６０１はキャリングケースに内蔵される記憶媒体であるＥＥＰＲＯＭで、本実施例ではシリアルインターフェースにより接続されるＥＥＰＲＯＭを想定している。また、キャリングケース６００には、図１の場合と同様に構成された赤外線通信装置１０３が通信を行なうための窓１０３ａが設けられている。
【００４７】
ＥＥＰＲＯＭ６０１は、キャリングケース６００の所定部位（図６の着色部分）に装着される。そして、キャリングケース６００が電子機器６０に装着される時、ＥＥＰＲＯＭ６０１と接続された不図示のコネクタと、後述の電子機器６０側のインターフェース部（６０２）が接続されるよう構成しておく。
【００４８】
キャリングケース１００に収容可能な電子機器１０は符号６０２〜６０８の機能ブロックから構成される。
【００４９】
このうち、符号６０２〜６０７は電子機器の機能ブロックで、６０２はＥＥＰＲＯＭとの間のデータの通信を司るインターフェース部（シリアルインターフェース）、６０３は外部機器との通信を行なう赤外線通信装置、６０４は本発明の特徴であるキャリングケースに関わる複数のプロファイルフォーマットと、識別情報の関連性を記憶する不揮発メモリ、６０５は赤外線通信装置を含め、電子機器の各部の制御を行なう制御ＣＰＵ、６０６は赤外線通信装置の制御プログラムを格納するＲＯＭ、６０７は制御プログラム実行のためのワークＲＡＭで、これらの部材はバス６０８を介して相互に接続されている。
【００５０】
図７は、電子機器にキャリングケースが装着された際に電子機器側で実行される制御フロー、特に本実施例におけるキャリングケースのＥＥＰＲＯＭに対する情報読み出しアクセス手順を示している。図示の制御手順は、制御ＣＰＵ６０５が実行する制御プログラムとしてたとえばＲＯＭ６０６に格納しておくことができる。
【００５１】
まず、キャリングケース６００の装着により、ＥＥＰＲＯＭ６０１とインターフェース部６０２が接続されると、制御ＣＰＵ６０５はインターフェース部６０２を介してＥＥＰＲＯＭ６０１内のメモリ内容のダウンロード処理を実行させる（ステップＳ７０１）。
【００５２】
続いて、ダウンロードしたＥＥＰＲＯＭ６０１内のメモリ内容の情報からチェックサム値を計算してダウンロードしたＥＥＰＲＯＭ６０１内のチェックサム値との比較を行い（ステップＳ７０２）、チェックサムエラーが検出されなければ、装着されたキャリングケースを正常なプロファイル情報を記憶したキャリングケースとして認識し、これに対応した制御を実施する（ステップＳ７０３）。また、チェックサムエラーが検出されれば、装着されたキャリングケースを異常キャリングケースとして認識し、これに対応した制御を実施して（ステップＳ７０４）、１処理単位を終了する。
【００５３】
ステップＳ７０３の処理は、図５のステップＳ５０５の処理と同じで、ダウンロードしたキャリングケースのプロファイル情報、特に電子機器６０の赤外線通信装置６０３の出力を制御するための出力制御情報を用い、ＲＯＭ６０６に格納された赤外線通信装置の制御プログラムを介して制御ＣＰＵ６０５により赤外線通信装置６０３の出力やゲインを制御する。
【００５４】
また、ステップＳ７０４の処理は、図５のステップＳ５０６の処理と同様に、ＲＯＭ６０６に格納された赤外線通信装置の制御プログラムを呼び出し、標準的な設定のまま制御ＣＰＵ６０５により赤外線通信装置６０３の制御を行なう。この場合、不適切なキャリングケースが装着されたこと、またはチェックサムエラーが発生し（赤外線通信装置の出力調整が正しく行なわれないため）赤外線通信が正常に行われない可能性がある旨を、電子機器の表示器や音声出力手段を介してユーザーに警告する。
【００５５】
以上のようにして、前述の実施例１と同様、ＥＥＰＲＯＭをキャリングケースの不揮発記憶媒体として利用しても、無線タグを利用した際と同様な結果が得られる。
【００５６】
すなわち、本実施例においても、キャリングケースの赤外線透過部の特性に適した赤外線通信装置の出力制御を行なうための制御情報をキャリングケースの記憶手段（ＥＥＰＲＯＭ）内にプロファイル情報としてあらかじめ格納しておくことにより、キャリングケースを電子機器本体に装着するだけで、赤外線通信装置の出力状態をキャリングケースに適した状態に自動的に調整することができ、面倒な設定操作などを必要とせず、ユーザはキャリングケースを装着したまま、あるいは外した状態を自由に選択でき、そしていずれの状態でも良好な赤外線通信が行なえる、という優れた効果がある。
【００５７】
なお、上記の各実施例においては、キャリングケースに内蔵する不揮発メモリ媒体として、近接型無線タグ、シリアルインターフェースを有するＥＥＰＲＯＭを利用する例について説明したが、アドレスとデータを対応付けて記憶することが可能な任意の不揮発メモリ媒体をキャリングケースに内蔵させることができ、この場合にも上記と同様な効果が得られる。
【００５８】
また、上記の各実施例においては、キャリングケースの無線タグやＥＥＰＲＯＭからダウンロードしたデータからチェックサム値を生成し、同じく無線タグやＥＥＰＲＯＭからダウンロードしたチェックサム値と照合する構成を示したが、正規のキャリングケースから送信されるデータから計算されるチェックサム値を電子機器側のＲＯＭ（あるいは他の記憶手段）のみに格納しておき、このチェックサム値を正規のキャリングケースから送信される識別情報から計算されたチェックサム値と照合するようにしてもよい。この構成によれば、チェックサム値は正常である他の製品用のキャリングケースが誤って使用される可能性をさらに低減できる。
【００５９】
また、上記のようなチェックサムを用いる方法以外のエラー検出符号も使用できる。その他ＭＤ５値、あるいはパスワード、公開鍵暗号などの識別情報（クリアテキストあるいは暗号化されたものいずれも可）をキャリングケースの無線タグやＥＥＰＲＯＭに格納しておき、電子機器側に送信させて電子機器側（のみ）に格納された識別情報と照合するような構成を用いてもよい。いずれにしても、これら任意の識別（認証）情報をキャリングケースの無線タグやＥＥＰＲＯＭのような記憶素子に格納しておき、電子機器側に送信させ、電子機器側で所定の演算処理に基づき照合する識別（認証）処理を行なえばよく、このような方法により正当性のあるキャリングケースのみで正しい赤外線通信装置の出力制御を実行し、また、他の製品用のキャリングケースの使用など正当性を欠くキャリングケースの装着を警告したりする処理が可能となる。
【産業上の利用可能性】
【００６０】
本発明は、キャリングケースに装着可能で、赤外線通信を行なうハンディターミナルや携帯情報機器など種々の電子機器において実施することができる。本発明を実施するためのプログラムは、上述のようにあらかじめ電子機器のＲＯＭなどに格納しておくか、種々の外部記憶媒体（ＣＤＲＯＭ、ＭＯ、メモリカードなど）から電子機器に供給する、あるいは任意のサーバから直接、ネットワーク経由で電子機器に供給することができる。
【図面の簡単な説明】
【００６１】
【図１】本発明を採用した電子機器の構成を示した説明図である（実施例１）。
【図２】図１の無線タグとリーダ・ライターの構成を示したブロック図である。
【図３】図１の無線タグによる無線通信の様子を示したタイミング図である。
【図４】図１の無線タグとリーダ・ライターの間の情報授受の様子を示したシーケンス図である。
【図５】図１の無線タグ内蔵キャリングケースに対する情報読み出しアクセス手順を示したフローチャート図である。
【図６】本発明を採用した電子機器の構成を示した説明図である（実施例２）。
【図７】図６のＥＥＰＲＯＭ内蔵キャリングケースに対する情報読み出しアクセス手順を示したフローチャート図である。
【符号の説明】
【００６２】
１００  キャリングケース
１０１  近接型無線タグ
１０２  近接型無線タグ用リーダ・ライター
１０３  赤外線通信装置
１０４  不揮発メモリ
１０５  制御ＣＰＵ
１０６  ＲＯＭ
１０７  ＲＡＭ
６００  キャリングケース
６０１  ＥＥＰＲＯＭ
６０２  インターフェース部
６０３  赤外線通信装置
６０４  不揮発メモリ
６０５  制御ＣＰＵ
６０６  ＲＯＭ
６０７  ＲＡＭ
【図１】
2006319489.tif 000003
【図２】
2006319489.tif 000004
【図３】
2006319489.tif 000005
【図４】
2006319489.tif 000006
【図５】
2006319489.tif 000007
【図６】
2006319489.tif 000008
【図７】
2006319489.tif 000009